(57)【要約】【課題】この発明は、簡便にして容易な着脱操作を実現したうえで、信頼性の高い確実な装着を実現し得るようにすることにある。【解決手段】電池本体１３及び制御部１４をケース本体１０に密閉収容して、このケース本体１０に上記電池本体１３及び制御部１４と電気的に接続される接続コネクタ１５を設け、この接続コネクタ１５を囲むようにナット部材１５を配し、その接続コネクタ１５を電動リール２０の外部電源接続用の給電接続部２１に給電可能に装着して、ナット部材１９を給電接続部２１の口金部２２に螺合させることで、ナット部材１５の係止部１５２が接続コネクタ１５の係合部１５２に係止された状態で、ケース本体１０が電動リール２０に取付けられるように構成した。【選択図】図２
2006197921.tif 000002
【特許請求の範囲】
【請求項１】
電池が収容されるもので、該電池に電気的に接続され、魚釣用リールの外部電源接続用の給電接続部に給電可能に装着される接続コネクタが設けられたケース本体と、
前記ケース本体を前記魚釣用リールに取付ける保持手段と、
を具備することを特徴とする魚釣用バッテリ装置。
【請求項２】
前記保持手段は、前記ケース本体に設けられることを特徴とする請求項１記載の魚釣用バッテリ装置。
【請求項３】
前記保持手段は、前記接続コネクタを囲んで配されることを特徴とする請求項１又は２記載の魚釣用バッテリ装置。
【請求項４】
前記保持手段は、魚釣用リールに取付ける操作で、ケース本体に摺接することを特徴とする請求項１乃至３のいずれか１つに記載の魚釣用バッテリ装置。
【請求項５】
前記保持手段は、前記接続コネクタに回転可能に設けた前記魚釣用リールに螺合されるナット部材であることを特徴とする請求項１乃至４のいずれか１つに記載の魚釣用バッテリ装置。
【請求項６】
前記接続コネクタは、ケース本体よりも柔らかい材料で形成され、可撓性を有することを特徴とする請求項１乃至５のいずれか１つに記載の魚釣用バッテリ装置。
【請求項７】
前記接続コネクタは、基端部側がケース本体内に固定されていることを特徴とする請求項１乃至６のいずれか１つに記載の魚釣用バッテリ装置。
【請求項８】
前記接続コネクタの基端部側は、ケース本体の筒状部で支持されていることを特徴とする請求項１乃至７のいずれか1つに記載の魚釣用バッテリ装置。
【請求項９】
前記ケース本体は、収容部から筒状部にかけて傾斜部が形成されていることを特徴とする請求項１乃至８のいずれか１つに記載の魚釣用バッテリ装置。
【請求項１０】
前記ケース本体が保持手段の周りを囲んでいることを特徴とする請求項１乃至９のいずれか１つに記載の魚釣用バッテリ装置。
【請求項１１】
前記保持手段は、ケース本体の周方向に突出しないように設けられることを特徴とする請求項１乃至１０のいずれか１つに記載の魚釣用バッテリ装置。
【請求項１２】
前記保持手段は、ケース本体に回転可能に嵌合したことを特徴とする請求項１乃至１１のいずれか１つに記載の魚釣用バッテリ装置。
【発明の詳細な説明】
【技術分野】
【０００１】
この発明は、例えば釣糸が巻回されるスプールを回転駆動する駆動用モータを備えた魚釣用リールに電力を供給するのに用いられる魚釣用バッテリ装置に関する。
【背景技術】
【０００２】
最近、船釣等の深場あるいは沖合いでの釣りにおいては、釣糸が巻回されるスプールを駆動用モータで駆動するいわゆる電動リールが多く使用されている。このような電動リールのスプール駆動用モータに給電する手段としては、バッテリ装置を釣り位置から離れた場所に設置し、長い給電コードを用いてスプール駆動用モータの内蔵されるリール本体に設けた給電接続部に対して電力を給電する方式が知られている（例えば、特許文献１及び２参照。）。
【０００３】
ところが、このような長い給電コードを介して、魚釣用リールとこれから遠く離れたバッテリ装置とを接続する場合には、長い給電コード自体が邪魔になることに加え、魚の当たりを待ったり、あるいは誘い操作や魚の取込み操作の際に、その長い給電コードで釣竿の動きが制約され、誘い操作や魚の取込み操作等を思い通りに自由に行うことができず、操作性が劣るという不都合を有する。
【０００４】
そこで、電動リールのスプール駆動用モータに給電する手段には、電動リールと一対一の関係を有する専用の電池ボックスを用いて給電コードを用いない方式が提案されている（例えば、特許文献３参照）。この給電する手段は、その電池ボックスに接続端子を兼用する金属製ボルトを回転操作自在に設ける。そして、他方の電動リールには、その竿尻側に、スプール駆動用モータに電気的に接続される接続端子を兼用する螺子穴を設け、この螺子穴に対して上記電池ボックスのボルトを螺合させることで、相互間の電気的な接続と共に、相互間の取付け固定を行うように構成される。
【特許文献１】特開２０００−２７６７６号公報
【特許文献２】特開平１０−２１５７３７号公報
【特許文献３】実開平３−７６４６５号公報
【発明の開示】
【発明が解決しようとする課題】
【０００５】
しかしながら、上記電動リールへの給電する手段では、電池ボックスを、接続端子を兼用する金属製ボルトにより、電動リールの螺子穴に螺合させて電気的接続及び取付け固定を行う構成のために、乱暴に扱ったりすると、電池ボックスが破損し、安定した給電が困難となるという問題を有する。
【０００６】
この発明は、上記の事情に鑑みてなされたもので、簡便にして容易な着脱操作を実現したうえで、信頼性の高い確実な装着を実現し得るようにした魚釣用バッテリ装置を提供することを目的とする。
【課題を解決するための手段】
【０００７】
この発明は、電池が収容されるもので、該電池に電気的に接続され、魚釣用リールの外部電源接続用の給電接続部に給電可能に装着される接続コネクタが設けられたケース本体と、前記ケース本体を前記魚釣用リールに取付ける保持手段とを備えて魚釣用バッテリ装置を構成した。
【０００８】
上記構成によれば、ケース本体は、その接続コネクタが保持手段を介して魚釣用リールの給電接続部に接続されて給電可能に装着された状態で、該保持手段を介して魚釣用リールに取付けられる。これにより、接続コネクタの確実な保護を実現したうえで、接続コネクタの魚釣用リールの給電部への確実な電気的接続と共に、そのケース本体が魚釣用リールに対して堅牢に組付けることが可能となる。従って、厳しい釣環境においても、簡便にして容易な着脱操作が実現され、しかも、比較的、乱暴な竿操作にも耐えることが可能となる。
【発明の効果】
【０００９】
以上述べたように、この発明によれば、魚釣用リールへの魚釣用バッテリの取付けを実現したうえで、確実な装着を実現し得るようにした魚釣用バッテリ装置を提供することができる。
【発明を実施するための最良の形態】
【００１０】
以下、この発明の実施の形態について、図面を参照して詳細に説明する。  
図１は、この発明の第１の実施の形態に係る魚釣用バッテリ装置を示すもので、ケース本体１０は、合成樹脂等で形成されて、電池本体１３が収容される収容部１１と収容部11の上方に形成された開口を閉塞する蓋部１２が分離形成され、その内部には、例えばリチウムイオン電池等の電池本体１３及び充放電制御用制御部１４が収容されて相互間が接着剤等を用いて接合されて密閉収容される。この電池本体１３及び制御部１４が密閉収容されたケース本体１０は、例えば図２に示す周知の電動リール２０の例えば下部前方に配される外部電源接続用の給電接続部２１に、例えば船の電力源、発電機、大型バッテリ等の外部電源から延びる周知の給電コードに代えて装着されて吊着され、該電動リール２０への給電を実行し、スプール駆動モータを駆動する。
【００１１】
即ち、上記蓋部１２には、取付け穴部１２１が上記ケース本体１０の重心Ｇを通る上面（取付け面）の略中央部に設けられる。取付け穴部１２１は、上記上面に重心Ｇから遠ざかる方向（上方）へ突出する筒状部１２３の上端に、その開口１２４を有する。この取付け穴部１２１には、その内部に上記制御部１４及び電池本体１３に電気的に接続される接続コネクタ１５の基端部側が接着剤で固定され、また、支持部を構成する取付け部材１６を介して支持されて接続コネクタ１５が重心Ｇから遠ざかる上方へ向けて突設され、その先端側部が筒状部１２３の取付け穴部１２１の開口１２４から突出された状態で、取り付け穴部１２１との間に配した上記接着剤またはパッキン部材１７を介して封止されて配される。
【００１２】
このように接続コネクタ１５の基端部側がケース本体１０内に固定され、その先端部側はケース本体１０の開口１２４から突出する。接続コネクタ１５の基端部側に取付け部材１６が係合され、この取付け部材１６は、接続コネクタ１５の外周方向に突出し、筒状部１２３のケース本体１０内に突出する突部１２５の下端部に当接することで接続コネクタ１５が取付け穴部１２１の開口１２４からの抜け出しを防止するよう係止され、また、取付け部材１６が接続コネクタ１５と取付け穴部１２１間の間隙を閉塞し、ケース本体１０への水の侵入を防止し、また、接続コネクタ１５のケース本体１０への取付けの際の接着剤の侵入も防止している。
【００１３】
また、筒状部１２３の取付け穴部１２１は円筒状で接続コネクタ１５は円柱状にするなど、接続コネクタ１５の外形は、取付け穴部１２１の内側に合致した状態で差し込まれているため、接続コネクタ１５の外側は筒状部１２３の取付け穴部１２１内に支えられて安定して支持され、接続コネクタ１５の外側の筒状部１２３の取付け穴部１２１の内側への接着剤による固定も確実になる。
【００１４】
さらに、取付け穴部１２３は筒状の突部１２５内にも延設されケース本体１０内に通じており、接続コネクタ１５は突部１２５の取付け穴部１２３においても接着剤で固定されてその基端はケース本体１０内に突出するようにして露呈し、接続コネクタ１５はその基端部側がケース本体１０の内側から外側にかけて筒状部１２３の取付け穴部１２１で支持されるため強固に支持でき安定する。
【００１５】
また、接続コネクタ１５に対しケース本体１０は、可撓性が小さく、硬い材料の合成樹脂で形成しているため、筒状部１２３は接続コネクタ１５より硬く可撓性が小さい、したがって、ケース本体１０より大きな可撓性を有する接続コネクタ１５が撓んでもケース本体１０にて確実に保持し電動リール２０に取り付けた魚釣用バッテリ装置のブレが防止され安定する。
【００１６】
これにより、接続コネクタ１５は、ケース本体１０内に液密状態で位置決めされて固定され、しかも、堅牢に組付けることが可能となる。また、筒状部１２３は、ケース本体１０内に延長して形成された筒状の突部１２５を有し、この突部１２５においても接続コネクタ１５の基端部側が支持されるため，接続コネクタ１５を支持する部分が大きくなり、安定してケース本体１０に支持される。また、突部１２５を設けたことで接続コネクタ１５を支持する筒状部１２３の上方への突出を少なくできる。
【００１７】
この接続コネクタ１５は、例えば可撓性を有し、ケース本体１０より柔らかい非導電性の樹脂材料で形成され、いわゆるソケット型コンセントを構成する一対の凹状接続端子１５１が設けられる。この凹状接続端子１５１は、その基端において、上記制御部１４に電気的に接続される。ここで、接続コネクタ１５は、ケース本体１０の内側面に液密状態で接着により固定されて取付けられた状態で、接続コネクタ１５の先端部側がケース本体１０の開口１２４から直接ケース本体１０の外側へ突出し、その凹状接続端子１５１が制御部１４に電気的に接続されることで、その配線系統の保護が図れて、上記電動リール２０の給電接続部２１への繰り返し着脱操作を安定して行うことが可能となる。
【００１８】
また、上記蓋部１２の筒状部１２３には、その周囲部に例えば絶縁性を有する樹脂材料で形成される弾性腕部１８の一端が弾性変形自在に取付けられ、この弾性腕部１８の先端部には、非導電性の保護キャップ１８１が上記接続コネクタ１５の先端部に対応して設けられる。これにより、保護キャップ１８１は、ケース本体１０の接続コネクタ１５が電動リール２０の給電接続部２１から離脱された状態で、その弾性腕部１８の弾性変形を利用して上記接続コネクタ１５の先端部に装着される。これにより、ケース本体１０は、例えば携帯時等においても、露出された接続コネクタ１５の凹状接続端子１５１の周囲部との電気的接続が防止される。
【００１９】
さらに、ケース本体１０は魚釣用バッテリを電動リール２０に装着した時に脱落しないようにこれを保持する保持手段を有し、この実施形態では保持手段のナット部材１９が筒状部１２３に操作可能に設けられている。すなわち、上記蓋部１２の取付け穴部１２１には、接続コネクタ１５と電動リール２０の給電接続部２１を接続した時の保持手段を構成する、例えばナット部材１９が、接続コネクタ１５の周囲を囲むようにしてナット部材１９の少なくとも一部（側壁１９４）が筒状部１２３の取付け穴部１２１に差し込まれた状態で回転操作可能に嵌合されて設けられる。このナット部材１９には、その上端部に鍔状の操作部１９１が設けられ、その下端部に凸状の係止部１９２が上記接続コネクタ１５の中間部に形成された係合部１５２に対応して延出させて設けられる。
【００２０】
これにより、ナット部材１９は、接続コネクタ１５と別体に形成され、該接続コネクタ１５が上記電動リール２０の給電接続部２１に装着された状態で、その操作部１９１が回転操作されて給電接続部２１の後述する口金部２２の螺子部２３に螺合されて締付け操作されると、その側壁が蓋部１２の取付け穴部１２１に沿ってリール方向に移動案内されて、その係止部１９２が接続コネクタ１５の係合部１５２に係止される。また、ケース本体１０に設けたナット部材１９の回転操作時に、ナット部材１９の側壁１９４が取付け穴部１２１の内面側に接触し、支持されるため、保持手段のナット部材１９の操作を安定して行うことができる。ここで、ナット部材１９は、さらにリール方向に移動されると、該係合部１５２をリール方向に押圧して接続コネクタ１５を給電接続部２１に確実に電気的に接続した状態で、上記給電接続部２１の口金部２２の螺子部２３への螺合が完了される。
【００２１】
ここで、ケース本体１０は、ナット部材１９を介して接続コネクタ１５が保護された状態で、該ナット部材１９を介して電動リール２０に吊着される如く取付けられる。この際、ナット部材１９は、内側に接続コネクタ１５が挿通されており、側壁１９４の下端から内側へ突出した係止部１９２が、接続コネクタ１５の係合部１５２に係止されることにより、ケース本体１０からの抜けが防止され、また、ナット部材１９の側壁１９４がケース本体１０の筒状部１２３に囲まれているため、該ケース本体１０の電動リール２０への確実な取付けを実現して、電動リール２０からの離脱を防止する。
【００２２】
ここで、上記ナット部材１９は、その係止部１９２が接続コネクタ１５の側壁に沿って移動案内されて電動リール２０の給電接続部２１の口金部２２の螺子部２３に螺合される場合、自然状態の側壁１９４の下端が取付け穴部１２１の段部１２１ｂに当接した状態から係止部１９２が接続コネクタ１５の係合部１５２に当接するまで移動させることになるが、常時、相互間が摺接するように構成しても良いし、あるいは可撓性を利用して材料の変形により、選択的に接触する如く摺接するように構成しても良い。
【００２３】
上記ケース本体１０の接続コネクタ１５を介して給電される電動リール２０には、図示しないスプール、スプール駆動モータ及びマイクロコンピュータで構成される制御部が内装され、その給電接続部２１に電力が給電されると、スプール駆動モータを駆動させることができるが、上記制御部（図示せず）が上記スプール駆動モータ（図示せず）を駆動制御して、上記スプール（図示せず）の回転速度が制御され、釣糸の巻取り速度が制御される。
【００２４】
即ち、上記給電接続部２１には、上記螺子部２３の設けられた金属製の口金部２２が、例えば電動リール２０が釣竿の３０に取付けられた状態で、垂直かつ下方に向けて開口した防水構造に形成され、この口金部２２内には、例えば一対のピン形の凸状接続端子２４が上記ケース本体１０の接続コネクタ１５の一対の凹状接続端子１５１に対応して突出される。これにより、電動リール２０の給電接続部２１は、上記ケース本体１０の接続コネクタ１５が挿入されると、その口金部２２が接続コネクタ１５の凹状接続端子１５１に挿入されて相互間が電気的に接続される。
【００２５】
ここで、この給電接続部２１は、その口金部２２内において封止構造で配され、これら口金部２２及びの周部から電動リール２０内に水等の流体が浸入するのを防止する、いわゆる液密構造に形成される。また、給電接続部２１の口金部２２は、その周囲部の螺子部２３に対して上記ケース本体１０のナット部材１９が螺合されると、金属製のナット部材１９（保持手段）は、接続コネクタ１５と給電接続部２１が接続された状態で、両者間の接続部となる給電接続部２１の開口の周囲を覆って螺合されるため、ケース本体１０の接続コネクタ１５との間の液密構造を維持しつつ強固な一体構造に連結されて、この給電接続部２１から電動リール２０内に水が浸入するのを防止すると共に、その離脱が防止される。
【００２６】
また、電動リール２０の給電接続部２１には、例えば非導電性樹脂材料製の弾性腕部２５の基端部が弾性変形自在に支持され、この弾性腕部２５の先端には、非導電性の保護キャップ２５１が上記口金部２２に対応して設けられる。これにより、電動リール２０は、使用しない場合、給電接続部２１の口金部２２に対して保護キャップ２５１を嵌挿することにより、その口金部２２及び凸状接続端子２４が保護される。
【００２７】
このように形成した電動リール２０の給電接続部２１には、例えば上記ケース本体１０の接続コネクタ１５の装着に代えて、外部設置型のバッテリ装置に配線接続され図示しない給電コードのケーブルコネクタを接続して、この外部設置型のバッテリ装置より給電することも可能である。
【００２８】
上記構成により、ケース本体１０は、接続コネクタ１５を、竿杆３０に取付けられた電動リール２０の給電接続部２１の口金部２２に装着すると、その凹状接続端子１５１内に口金部２２内の凸状の接続端子２４が挿入されて相互間が電気的に接続される。ここで、ケース本体１０は、ナット部材１９の操作部１９１が回転操作されて、該ナット部材１９が電動リール２０の口金部２２の螺子部２３に螺合されて締付けられると、ナット部材１９の側壁１９４が蓋部１２の取付け穴部１２１に沿ってリール方向に移動案内され、その係止部１９２が接続コネクタ１５の係合部１５２に係止されて同方向に押圧した状態で、電動リール２０の口金部２２に取付けられる（図３及び図４参照）。
【００２９】
ナット部材１９は、側壁１９４の下端側がケース本体１０の開口１２４から筒状部１２３に差し込まれてケース本体１０に取付けられている。また、ナット部材１９の内側には、接続コネクタ１５が挿通されているため、側壁１９４は、筒状部１２３の取付け穴部１２１内において筒状部１２３と接続コネクタ１５の間の間隙に配されている。したがって、ナット部材１９を操作するときは、筒状部１２３の取付け穴部１２１、すなわち筒状部１２３の内壁が案内部となってナット部材１９（側壁１９４）がこれに沿って上下動又は回動等の動きをすることとなる。よって、ナット部材１９の側壁１９４は、常時又は接続コネクタ１５が歪んだ時などに、ケース本体１０の筒状部１２３内壁（取付け穴部１２１）に接して、筒状部１２３内壁に沿って動くため、操作時の作動の方向付けがされて安定した操作が行えて、さらに、電動リール２０に取付けた状態では、振動に対するナット部材１９の不用意な緩みが防止される。しかも、ナット部材１９の内側には、接続コネクタ１５が挿通され、係止部１２９が接続コネクタ１５に沿って案内されて上下動や回動等の動きをするため、ナット部材１９の移動は、その内側と外側の両側からその動きの方向付けがされて安定した操作が行える。ナット部材１９は、上方に移動して係合部１５２に係止されても側壁１９４の下端側は筒状部１２３に囲まれており、ナット部材１９を回転すると筒状部１２３の内側に摺接する。
【００３０】
このように、ナット部材１９を回動するなど保持手段の操作時に、ケース本体１０に接触して動きが案内される案内部が、ケース本体１０にあると、保持手段（ナット部材１９）のぐらつきが少なくなって作動が安定し、操作が容易になり、また、保持手段（ナット部材１９）の保持状態の緩みが防止される。
【００３１】
これにより、ケース本体１０は、その上面の略中央部に重心Ｇから上方に向けて突設された単一の接続コネクタ１５が電動リール２０の給電接続部２１に脱落が防止された状態で装着され、該電動リール２０にバランス良く吊着されて組付けられ、給電コードを用いないで直接的に電動リール２０に取付け保持される。
【００３２】
そして、このケース本体１０の電動リール２０への装着状態において、釣り人は、竿杆３０の握り部３０１及び電動リール２０を握持することで、ケース本体１０を直接的に支えながら竿操作が行われる。この際、接続コネクタ１５は、ケース本体１０を形成する材料よりも柔らかい材料で形成され、ケース本体１０よりも大きな可撓性を有することで、例えば釣竿を上下にあおるなどの誘いや、電動リール２０の巻き取りなどの釣りの操作によって電動リール２０に装着された魚釣用バッテリ装置が振り動かされるような力が加わっても接続コネクタ１５が撓んでその振動を緩和するため、電動リール２０への取り付け時のガタ感が緩和され、魚釣用バッテリ装置の接続コネクタ１５等その損傷等の破損防止が図れて、厳しい釣環境における使用にも耐えることができる。また、接続コネクタ１５がケース本体１０より柔らかい材料で形成され、ケース本体１０よりも大きな可撓性を有していることは接続コネクタ１５のケース本体１０への固定部、ケース本体１０、更にこの魚釣用バッテリ装置が装着される電動リール２０の給電接続部２１の破損についても防止することとなる。また、接続コネクタ１５は、竿操作時、ケース本体１０の重心Ｇを通る取付け面上に配置され，重心Ｇの上方にてケース本体１０の上方に向けて突出するように設けられることで、その負荷が最小限となることで、この点からも接続コネクタ１５の破損防止が図られている。
【００３３】
一方、接続コネクタ１５に対しケース本体１０は、可撓性が小さく、硬い材料の合成樹脂で形成することで、大きな可撓性を有する接続コネクタ１５が撓んでもケース本体１０の歪みを小さくでき、接続コネクタ１５を確実に保持し、電動リール２０に対する魚釣用バッテリ装置全体の揺動や歪みを防止する。さらに、ケース本体１０を他物にぶつけたときなど外側からの負荷に対応してその破損を防止するため、内部に収納した電池本体１３を保護することができる。また、内部に収納した電池本体１３を保護するため、その取り出しができないようになっていることに加えて、収容部１１と蓋部１２の接合部は溶着などで水が侵入しないように接合されており、電池本体１３は、ケース本体１０内に密閉収容されている。
【００３４】
保持手段のナット部材１９は、その内側に接続コネクタ１５が挿通されて、ナット部材１９の内側に接続コネクタ１５が、ナット部材１９の外側にケース本体１０（筒状部１２３）がナット部材１９の周りを囲んでおり、保持手段のナット部材１９は、両者と近設または一部が接触した状態で魚釣り用バッテリ装置に保持されており、ナット部材１９の回動操作は接続コネクタ１５とケース本体１０（筒状部１２３）に摺接しながら行われるため回動方向が誘導されて安定して電動リール２０の給電接続部２１に取り付けができる。また、電動リール２０の給電接続部２１に取り付けた状態においては、保持手段のナット部材１９は、その内側は接続コネクタ１５の外側に当接され、その外側はケース本体１０（筒状部１２３）が当接するか、又は、少なくとも接続コネクタ１５がその可撓性により撓ったときにケース本体１０（筒状部１２３）が当接するようになっている。
【００３５】
したがって、釣りの操作で魚釣用バッテリ装置が振動してもその振動が緩和され、ナット部材１９の電動リール２０の給電接続部２１に対する緩みが防止され、また、ナット部材１９とケース本体１０（筒状部１２３）が当接することでケース本体１０の振動も緩和されるため、接続コネクタ１５のケース本体１０（筒状部１２３）への取り付け状態が維持され、この部分が剥離するなどの破損が防止できる。ナット部材１９は接続コネクタ１５より硬い材料で形成され、ナット部材１９が当接してその撓みが緩和される。
【００３６】
また、ナット部材１９は接続コネクタ１５に沿って上下に移動できるようになっているが、係合部１５２を更に下方に設けてナット部材１９が回動するだけで上下に移動しないように形成しても良く、この場合でも、ナット部材１９の少なくとも下方側の部分はケース本体１０（筒状部１２３）にその周りを囲まれるように形成する。また、ケース本体１０の上方側に設けた保持手段のナット部材１９は、ケース本体１０よりもその周方向において突出しないように形成され、釣りをしているときに不用意に触れて破損したり、電動リール２０への取り付けが緩んだりすることが防止されている。なお、ケース本体１０の筒状部１２３は収容部１１ａよりも小径に形成されるが、筒状部１２３と収容部１１ａ間にはケース本体１０を収容部１１ａから筒状部１２３にかけて徐々に縮径するようにして形成した傾斜部が設けられ、収容部１１ａと筒状部１２３との間における破損を防止している。
【００３７】
ここで、釣竿３０における保持スペースは、通常の手動式魚釣リールと略同様に制限されることなく、いわゆる手持ち感覚での上下誘い操作や巻取り操作等で電動リール２０と一体的に取扱い操作することができ、接続コネクタ１５がケース本体１０に固定され、保持手段により電動リール２０に対し、ケース本体１０の脱落が防止されて取付けられるため、釣り人は、ケース本体１０が邪魔になることなく、所望の魚釣操作を快適に行うことができ，魚釣用バッテリ装置の破損も防止できる。
【００３８】
また、釣り途中において、ケース本体１０内の電池本体１３の電気エネルギが消耗した場合には、上記装着動作と略逆の操作を行って電動リール２０から離脱させ、その後、予め用意して置いた充電済みの新たなものと、交換使用することにより、長時間にわたる電動リール２０の使用が可能である。このように電動リール２０と共に手で持って釣りが可能なまでの軽量化を図っていることで、容易な携帯が可能となり実現される。このような魚釣用バッテリ装置の重量は５００ｇ以下で使用できるようになるが、一般の釣人が半日、疲れを感じないで釣りを行うには３００ｇ以下が好ましく、場合によっては３０ｇ以下にすることもできる。
【００３９】
このように、上記魚釣用バッテリ装置は、電池本体１３及び制御部１４をケース本体１０に密閉収容して、このケース本体１０に上記電池本体１３及び制御部１４と電気的に接続される接続コネクタ１５を設け、この接続コネクタ１５を囲むようにナット部材１５を配し、その接続コネクタ１５を電動リール２０の外部電源接続用の給電接続部２１に給電可能に装着して、ナット部材１９を給電接続部２１の口金部２２に螺合させることで、ナット部材１５の係止部１５２が接続コネクタ１５の係合部１５２に係止された状態で、ケース本体１０が電動リール２０に取付けられるように構成した。
【００４０】
これによれば、ケース本体１０は、その接続コネクタ１５が電動リール２０の給電接続部２１に電気的に接続された状態で、ナット部材１９を介して電動リール２０に取付けられることにより、接続コネクタ１５の確実な保護を実現したうえで、相互間の確実な電気的接続が実現されると共に、相互間の堅牢な組付けが可能となる。
【００４１】
即ち、上記ナット部材１９は、ケース本体１０に回動操作可能に嵌合されてケース本体１０に設けられ、その係止部１９２が接続コネクタ１５の係合部１５２に係止されることにより、ケース本体１０からの抜けが確実に防止されることで、該ケース本体１０の電動リール２０への堅牢な装着を実現する。この結果、厳しい釣環境においても、簡便にして容易な着脱操作が実現され、しかも、比較的、乱暴な竿操作に耐えることができて、魚釣用バッテリ装置が接続コネクタ１５の可撓性により振動しても電動リール２０の給電接続部２１とナット部材１９の保持手段による保持は維持されその脱落が防止され、ケース本体１０が邪魔になることなく、所望の魚釣操作を快適に行うことが可能となる。
【００４２】
また、接続コネクタ１５は、取付ける電動リール２０の給電接続部２１に合わせて様々な構成を用いることができ、この実施の形態のように凸状に形成してもよく、また、接続端子のみで形成しても良い。さらに、接続端子についても、凹状や凸状等の様々な構成、数にすることができる。
【００４３】
なお、この発明は、上記第１の実施の形態に限ることなく、その他、例えば図４乃至図６に示す第２の実施の形態、図７乃至図９に示す第３の実施の形態、図１０乃至図１２に示す第４の実施の形態、図１３乃至図１５に示す第５の実施の形態、図１６に示す第６の実施の形態、図１７に示す第７の実施の形態の如く構成することも可能で、いずれの実施の形態においても上記第１の実施の形態と同様の効果を期待することができる。但し、これら図４乃至図１７においては、上記図１乃至図３と同一部分について同一符号を付して、その詳細な説明を省略する。
【００４４】
先ず、図４乃至図６に示す第２の実施の形態においては、ケース本体１０を電動リール２０の給電接続部２１に取付けるためのその離脱を防止する保持手段として、上記ケース本体１０の蓋部１２の取付け穴部１２１の周囲に複数の弾性係止部１２２を所定の間隔に設ける。一方、上記電動リール２０の給電接続部２１の口金部２２には、複数の凹状係止部２２１を上記複数の弾性係止部１２２に対応して設ける。
【００４５】
上記構成により、ケース本体１０は、接続コネクタ１５を、竿杆３０に取付けられた電動リール２０の給電接続部２１の口金部２２に挿入すると、その凹状接続端子１５１内に口金部２２内の凸状接続端子２４が挿入されて相互間が電気的に接続される。同時に、ケース本体１０は、蓋部１２の弾性係止部１２２が、その弾性力により電動リール２０の給電接続部２１の口金部２２の凹状係止部２２１に弾性係合され、電動リール２０の口金部２２に取付けられる（図５及び図６参照）。第２の実施の形態の弾性係止部１２２（保持手段）は、第１の実施の形態の電動リール２０の給電接続部２１のように凹状係止部２２１を有していなくとも、螺子部２３の凹凸に係止されて止着される。
【００４６】
この第２の実施の形態によれば、さらに、バッテリ着脱操作性の向上が図れて、取扱い操作性の向上を図ることが可能となる。
【００４７】
また、図７乃至図９に示す第３の実施の形態においては、ナット部材１９の操作部１９１には、その外周に沿って下方に垂下するように設けたスカート部１９５が形成され、筒状部１２３の外周を覆い、操作部１９１のスカート部１９５の内側に、スカート部１９５に沿って例えばリング状の凹部１９３を上記蓋部１２に設けられる筒状部１２３ａに対応して形成し、この操作部１９１の側壁１２３ａとスカート部１９５の間に形成された凹部１９３には、上記蓋部１２の筒状部１２３ａの開口１２４ａ側が回転自在に挿入される。そして、ナット部材１９の下端部には、係止部１９２ａが接続コネクタ１５の係合部１５２に回転自在に係止するように設けられる。接続コネクタ１５はケース本体１０よりも柔らかい材料で形成され、ケース本体１０よりも大きな可撓性を有している。
【００４８】
上記取付け穴部１２１ａの設けられた筒状部１２３ａは、蓋部１２と一体的に形成され、その下端部にコネクタ取付け用の突起部１２６及び溝状の弾性変形部１２７が設けられる。これにより、筒状部１２３ａには、その弾性変形部１２７の弾性力を利用して、その突起部１２６が上記接続コネクタ１５の下端部の凹状部１５３に挿入されて該接続コネクタ１５が組付けられ、接続コネクタ１５の基端部側が筒状部１２３ａの内側に接着固定される。
【００４９】
上記構成において、ケース本体１０は、その接続コネクタ１５の凹状接続端子１５１を、図８に示すように電動リールの給電接続部２１に対向させて挿入する如く装着した状態で（図９参照）、ナット部材１９の操作部１９１を回転操作すると、ナット部材１９がその凹部１９３に筒状部１２３ａの上端部が回転自在に挿入され、且つその係止部１９２ａが接続コネクタ１５の係合部１５２に回転自在に係止されることで、上下の移動が規制され、組付け位置で回転されて該給電接続部２１の口金部２２の螺子部２３に螺合されて締付けられる。これにより、ケース本体１０は、その接続コネクタ１５がナット部材１９を介して保護され、また、保持手段のナット部材１９がケース本体１０の筒状部１２３ａに回転操作可能に嵌合され、その回転が筒状部１２３ａに案内された状態で、電動リール２０の給電接続部２１に確実に接続されると共に、電動リール２０に吊着される如く取付けられる。
【００５０】
ナット部材１９は、側壁１９４ａがケース本体１０の開口１２４ａから筒状部１２３ａに差し込まれ、凹部１９３に筒状部１２３ａが差し込まれて回転可能に嵌合してケース本体１０に取付けられている。また、ナット部材１９の内側には、接続コネクタ１５が挿通されているため、側壁１９４ａは、筒状部１２３ａの取付け穴部１２１ａ内において筒状部１２３ａと接続コネクタ１５の間の間隙に配されている。したがって、ナット部材１９を操作する時は、筒状部１２３ａの取付け穴部１２１ａ、すなわち筒状部１２３ａの内壁が案内部となってナット部材１９（側壁１９４ａ）がこれに沿って上下動又は回動等の動きをすることとなる。
【００５１】
よって、ナット部材１９の側壁１９４ａは、その外側を筒状部１２３ａに囲まれており、常時又は接続コネクタ１５が歪んだ時等にケース本体１０の筒状部１２３ａ内壁（取付け穴部１２１ａ）に接して、筒状部１２３ａ内壁に沿って動くため、操作時の作動の方向付けがされて安定した操作が行えて、さらに、電動リール２０に取付けた状態では、振動に対するナット部材１９の不用意な緩みが防止される。しかも、操作部１９１から下方に垂下した筒状部１２３ａの外周を覆うスカート部１９５を有しているため、ナット部材１９を操作する時は、筒状部１２３ａの内側で側壁１９４ａが案内され、筒状部１２３ａの外側にスカート部１９５の内側が、常時又は接続コネクタ１５が歪んだ時などに接して動きが案内される。
【００５２】
さらに、ナット部材１９は、凹部１９３が筒状部１２３ａの先端に接触したり、側壁１９４ａの下端部が取付け穴部１２１ａの段部１２１ｂに接触して案内され、操作時の作動の方向付けがされて上記第１の実施の形態より安定した操作が行えて、さらに、電動リール２０に取付けた状態では振動に対するナット部材１９の緩みがより防止される。
【００５３】
この第３の実施の形態によれば、ナット部材１９の回転操作を簡便にして容易に行うことが可能となるうえ、接続コネクタ１５に折り曲げるような力が付与された場合においても、ナット部材１９が、その曲げ力を効果的に規制することが可能となり、ナット部材１９が筒状部１２３ａの内側と外側の両方に接触して案内されるため、その回転が安定し、さらに有効な効果が期待される。
【００５４】
また、図１０乃至図１２に示す第４の実施の形態は、上記第３の実施の形態において、接続コネクタ１５を短く形成し、筒状部１２３ａの開口１２４ａと同じ高さとし、開口１２４ａから上方へ突出しないようにして、その端子構造を凸状接続端子１５１ａとし、この凸状接続端子１５１ａをナット部材１９の上端部より突出させて開口１２４ａより上方に配するように構成したもので、上記第３の実施の形態と同様の効果が期待される。この場合には、電動リール２０の給電接続部２１には、凹状接続端子２４ａを配し、ケース本体１０の接続コネクタ１５の凸状接続端子１５１ａの挿入を可能に構成される。このように魚釣用バッテリ装置の接続コネクタ１５は、凸状でなくてもよく、また、その端子構造も凹状から凸状にする等、取付ける電動リールに対応した接続コネクタ構造、端子構造とすることができる。
【００５５】
但し、この第４の実施の形態における説明では、便宜上、その他の構成に関して、上記第３の実施の形態と略同様に構成されることで、同一部分について、同一符号を付して、その詳細な説明を省略する。
【００５６】
また、図１３乃至図１５に示す第５の実施の形態では、第４の実施の形態において、ケース本体の筒状部１２３ｂ及びナット部材１９の係止部１９２ｂを延出させ接続コネクタ１５の上下長さを短くし、その凸状接続端子１５１ａを囲んで配するように構成し、ナット部材１９の中心穴部１９ｂの内側と接続コネクタ１５の上部で囲まれて形成された凹状部Ｏが形成される。この場合、電動リール２０の給電接続部２１の口金部２２は、その凹状接続端子２４ａを含めて、接続コネクタ１５の凸状接続端子１５１ａに対応して長く延出して上記魚釣用バッテリ装置の凹状部Ｏに差し込む凸状コネクタが形成される。これにより、接続コネクタ１５の凸状接続端子１５１ａは、ケース本体１０を電動リール２０の口金部２２から離脱させた状態において、その保護の促進が図れ、上記第３の実施の形態に比してさらに良好な効果が期待される。
【００５７】
また、図１６に示す第６の実施の形態では、蓋部１２の筒状部１２３ｃの先端を当たり部１２３ｄとし、この当たり部１２３ｄにナット部材１９の係止部１９２ｃ（側壁１９４の下端）を摺動自在に当接配置する。このナット部材１９の係止部１９２ｃは、上記接続コネクタ１５の係合部１５２に回転可能に係止される。
【００５８】
上記構成により、ナット部材１９は、操作部１９１が回転操作されると、その係止部１９２ｃが接続コネクタ１５の係合部１５２を係止した状態で、その先端部が筒状部１２３ｃの当たり部１２３ｄに回転摺接され、上記電動リール２０の給電接続部２１の口金部２２の螺子部２３に螺合される。
【００５９】
これにより、接続コネクタ１５は、この凹状接続端子１５１に電動リール２０の給電接続部２１の凸状が挿入された状態で押圧されると共に、ケース本体１０を電動リール２０の口金部２１に取付け固定する。この第６の実施の形態よれば、ナット部材１９の安定した回転操作を実現したうえで、同様に、ケース本体１０の接続コネクタ１５の曲げ防止やナット部材１９の緩み防止が実現される。
【００６０】
また、図１７に示す第７の実施の形態では、上記第３の実施の形態において、ナット部材１９の操作部１９１ｂの下方側に設けた凹部１９３ｂの内壁に、複数の突部１９３ｃを上記蓋部１２の筒状部１２３ａの外周壁に対向して所定の間隔に設ける。一方、蓋部１２の筒状部１２３ａの外周壁には、リング状の案内溝１２３ｅを、上記ナット部材１９の突部１９３ｃに対応して周方向に設ける。
【００６１】
上記構成により、ナット部材１９は、操作部１９１ｂが回転操作されると、その係止部１９２ａが接続コネクタ１５の係合部１５２を係止した状態で、スカート部１９５ｂの内側の突部１９３ｃが筒状部１２３ａの案内溝１２３ｅに嵌って当接した状態で案内されて回転され、電動リール２０の給電接続部２１の口金部２２の螺子部２３に螺合される。これにより、接続コネクタ１５は、この凹状接続端子１５１に電動リール２０の給電接続部２１の凸状が挿入された状態で押圧されると共に、ケース本体１０を電動リール２０の口金部２１に取付け固定する。この第７の実施の形態よれば、同様に、ナット部材１９がケース本体１０の筒状部１２３ａに回転可能に嵌合し、筒状部１２３ａに摺接しながら安定した回転操作を実現したうえで、ケース本体１０の接続コネクタ１５の曲げ防止が実現される。また、ナット部材１９は、突部１９３ｃが案内溝１２３ｅに嵌ってケース本体１０に対して抜止めされている。
【００６２】
また、上記実施の形態では、給電した電力を用いて電動リール２０のスプール駆動モータを駆動制御する場合について説明したが、これに限ることなく、その他、電動リール２０内に内装される給電を必要とする全ての給電部品に対して給電することが可能である。
【００６３】
さらに、上記各実施の形態では、電動リール２０の電源として使用した場合について説明したが、これに限ることなく、その他、糸長計測装置等の給電を必要とする給電部品の電源として使用することも可能である。
【００６４】
また、この発明は、上記各実施の形態で説明したバッテリを構成するケース本体１０の保持構造に限ることなく、その他、各種の保持手段を用いてケース本体１０を電動リール２０に直接的に取付け配置するように構成することが可能である。
【００６５】
よって、この発明は、上記実施の形態に限ることなく、その他、実施段階ではその要旨を逸脱しない範囲で種々の変形を実施し得ることが可能である。さらに、上記実施の形態には、種々の段階の発明が含まれており、開示される複数の構成要件における適宜な組合せにより種々の発明が抽出され得る。
【００６６】
例えば実施の形態に示される全構成要件から幾つかの構成要件が削除されても、発明が解決しようとする課題の欄で述べた課題が解決でき、発明の効果で述べられている効果が得られる場合には、この構成要件が削除された構成が発明として抽出され得る。
【図面の簡単な説明】
【００６７】
【図１】この発明の第１の実施の形態に係る魚釣用バッテリ装置を示した断面図である。
【図２】図１のケース本体を電動リールに装着する前の状態を示した一部断面図である。
【図３】図１のケース本体を電動リールに装着した状態を示した一部断面図である。
【図４】この発明の第２の実施の形態に係る魚釣用バッテリ装置を示した一部断面図である。
【図５】図４のケース本体を電動リールに装着した状態を示した一部断面図である。
【図６】図５の要部を拡大して示した一部断面図である。
【図７】この発明の第３の実施の形態に係る魚釣用バッテリ装置を示した断面図である。
【図８】図７のケース本体を電動リールに装着する前の状態を示した一部断面図である。
【図９】図７のケース本体を電動リールに装着した状態を示した一部断面図である。
【図１０】この発明の第４の実施の形態に係る魚釣用バッテリ装置を示した断面図である。
【図１１】図１０のケース本体を電動リールに装着する前の状態を示した一部断面図である。
【図１２】図１０のケース本体を電動リールに装着した状態を示した一部断面図である。
【図１３】この発明の第５の実施の形態に係る魚釣用バッテリ装置を示した断面図である。
【図１４】図１３のケース本体を電動リールに装着する前の状態を示した一部断面図である。
【図１５】図１４のケース本体を電動リールに装着した状態を示した一部断面図である。
【図１６】この発明の第６の実施の形態に係る魚釣用バッテリ装置を示した断面図である。
【図１７】この発明の第７の実施の形態に係る魚釣用バッテリ装置を示した断面図である。
【符号の説明】
【００６８】
９…取付体、１０…ケース本体、１１…収容部、１２…蓋部、１２１,１２１ａ…取付け穴部、１２２…弾性係止部、１２３,１２３ａ,１２３ｃ…筒状部、１２３ｄ…当たり部、１２３ｅ…案内溝、１２４…開口、１２５…突部、１２６…突起部、１２７…弾性変形部、１３…電池本体、１４…制御部、１５…接続コネクタ、１５１…凹状接続端子、１５１ａ…凸状接続端子、１５２…係合部、１５３…凹状部、１６…取付け部材、１７…パッキン部材、１８…弾性腕部、１８１…保護キャップ、１９…ナット部材、１９１,１９１ｂ…操作部、１９２，１９２ａ,１９２ｂ,１９２ｃ…係止部、１９３,１９３ｂ…凹部、１９３ｃ…突部、２０…電動リール、２１…給電接続部、２２…口金部、２２１…凹状係止部、２３…螺子部、２４…凸状接続端子、２４ａ…凹状接続端子、２５…弾性腕部、２５１…保護キャップ、３０…竿杆、３０１…握り部。
【図１】
2006197921.tif 000003
【図２】
2006197921.tif 000004
【図３】
2006197921.tif 000005
【図４】
2006197921.tif 000006
【図５】
2006197921.tif 000007
【図６】
2006197921.tif 000008
【図７】
2006197921.tif 000009
【図８】
2006197921.tif 000010
【図９】
2006197921.tif 000011
【図１０】
2006197921.tif 000012
【図１１】
2006197921.tif 000013
【図１２】
2006197921.tif 000014
【図１３】
2006197921.tif 000015
【図１４】
2006197921.tif 000016
【図１５】
2006197921.tif 000017
【図１６】
2006197921.tif 000018
【図１７】
2006197921.tif 000019